(57)【特許請求の範囲】
【請求項１】
その一端が閉塞されている筒と、この筒の他端に設けられた口を塞ぐ隔膜と、磁石とを備えており、
この磁石が、この筒よりも短く、
この磁石が、このコレクターを上下に動かすことで、この筒の一端とその他端との間を移動しうるようにこの筒の内部に収容されており、  
この磁石が、磁石吸着体を含む消しゴムから生じた消しゴムカスをこの隔膜を介して吸着しうる、消しゴムカス収集用のコレクター。
【請求項２】
上記隔膜が、フィルムからなる請求項１に記載の消しゴムカス収集用のコレクター。
【請求項３】
磁石吸着体を含む消しゴムから生じた消しゴムカスを集めるコレクターと、この消しゴムカスが投入されるケースと、このケースに収容されこのケースに投入された消しゴムカスを捕捉しうるキャッチャーとを備えており、
このキャッチャーが、ジャケットと、このジャケットに包まれた第一磁石とを備えており、
このコレクターが、筒と、この筒の口を塞ぐ隔膜と、第二磁石とを備えており、
この第二磁石が、この筒の内部に収容されており、
この第二磁石が、この筒よりも短く、
この第二磁石が、この隔膜を介してこの消しゴムカスを吸着し、
この第一磁石が、このジャケットを介してこの消しゴムカスを吸着しうる、消しゴムカス収集セット。
【請求項４】
上記隔膜が、フィルムからなる請求項３に記載の消しゴムカス収集セット。
【発明の詳細な説明】
【技術分野】
【０００１】
本発明は、消しゴムから生じた消しゴムカスの収集に用いられるコレクターに関する。
【背景技術】
【０００２】
消しゴムを使用したときには、大小、多量の消しゴムカスが生じる。この消しゴムカスは、書類や机の上に散乱する。これにより、書類や机が汚される。書類や机の上にある消しゴムカスを手で払い、消しゴムカスが床に落とされると、床が汚される。
【０００３】
近年の消しゴムは、石油又は天然ガスを原料として製造された化学製品である。このため、消しゴムカスを収集せずに放置しておくと、これが変質し机や床の上にこびりつくことがある。一旦こびりついた消しゴムカスを取り除くのは、容易ではない。
【０００４】
消しゴムカスの収集のためのツールについては、様々な検討がなされている。この検討の一例が、特開２００６−２１２８４７公報に開示されている。
【先行技術文献】
【特許文献】
【０００５】
【特許文献１】特開２００６−２１２８４７公報
【発明の概要】
【発明が解決しようとする課題】
【０００６】
上記公報に記載の消しゴムカス回収箱では、磁石吸着体を含む消しゴムから生じた消しゴムカスは磁石に直接吸着される。この吸着は強固であるため、磁石から消しゴムカスを取り除くのは容易ではない。特に、細かな消しゴムカスの除去が難しい。この回収箱では、消しゴムカスの収集及び廃棄に手間がかかることがある。
【０００７】
本発明の目的は、消しゴムカスを容易に収集しうるコレクターの提供にある。
【課題を解決するための手段】
【０００８】
本発明に係る消しゴムカス収集用のコレクターは、筒と、この筒の口を塞ぐ隔膜と、磁石とを備えている。この磁石は、この筒の内部に収容されている。この磁石は、この筒よりも短い。この磁石は、磁石吸着体を含む消しゴムから生じた消しゴムカスをこの隔膜を介して吸着しうる。
【０００９】
好ましくは、この消しゴムカス収集用のコレクターでは、上記隔膜はフィルムからなる。
【００１０】
本発明に係る消しゴムカス収集セットは、磁石吸着体を含む消しゴムから生じた消しゴムカスを集めるコレクターと、この消しゴムカスが投入されるケースと、このケースに収容されこのケースに投入された消しゴムカスを捕捉しうるキャッチャーとを備えている。このキャッチャーは、ジャケットと、このジャケットに包まれた第一磁石とを備えている。このコレクターは、筒と、この筒の口を塞ぐ隔膜と、第二磁石とを備えている。この第二磁石は、この筒の内部に収容されている。この第二磁石は、この筒よりも短い。この第二磁石は、この隔膜を介してこの消しゴムカスを吸着しうる。この第一磁石は、このジャケットを介してこの消しゴムカスを吸着しうる。
【００１１】
好ましくは、この消しゴムカス収集セットでは、上記隔膜はフィルムからなる。
【発明の効果】
【００１２】
本発明に係るコレクターでは、磁石吸着体を含む消しゴムから生じた消しゴムカスは隔膜を介して磁石に吸着される。このコレクターでは、消しゴムカスが磁石に直接吸着しないので、磁石はこの消しゴムカスで汚染されない。磁石が筒よりも短いので、隔膜を下にしてこのコレクターを上下に動かすと磁石がこの隔膜から離間する。これにより、隔膜を介して磁石に吸着していた消しゴムカスがこの磁石から脱離する。このコレクターによれば、消しゴムカスの収集及び廃棄が容易になされうる。
【図面の簡単な説明】
【００１３】
【図１】図１は、本発明の一実施形態に係る消しゴムカス収集セットが示された斜視図である。
【図２】図２は、図１の消しゴムカス収集セットのケース、コレクター及びキャッチャーが示された斜視図である。
【図３】図３は、図２のコレクターが示された一部切欠き断面図である。
【図４】図４は、コレクターの使用状態が示された断面図である。
【図５】図５は、キャッチャーの使用状態が示された正面図である。
【発明を実施するための形態】
【００１４】
以下、適宜図面が参照されつつ、好ましい実施形態に基づいて本発明が詳細に説明される。
【００１５】
図１及び図２に示されているのは、消しゴムカス収集セット２である。このセット２は、消しゴムから生じた消しゴムカスの収集に用いられる。この消しゴムは、磁石吸着体を含んでいる。このため、この消しゴムカスも、磁石吸着体を含んでいる。この磁石吸着体は、磁石に吸着しうる粉体である。この粉体としては、鉄、コバルト、ニッケル等の強磁性を示すものが例示される。
【００１６】
このセット２は、ケース４、キャッチャー６及びコレクター８を備えている。ケース４は、略直方体である。このケース４は、プラスチック製である。このケース４は、キャッチャー６及びコレクター８をその内部に同時に収容しうる。図示されているように、このケース４の上面には、投入口１０が設けられている。この投入口１０は、ケース４の内側と外側とを連通している。
【００１７】
このセット２では、ケース４は本体１２及び上蓋１４を備えている。前述の投入口１０は、この上蓋１４に設けられている。図示されているように、この本体１２と上蓋１４とは、それぞれの長縁において連結されている。上蓋１４は、この連結部分１６を軸として本体１２に対して回動しうる。これにより、このケース４は閉じたり開いたりする。この連結部分１６は、蝶番とも称される。このケース４の閉じた状態が図１に、このケース４の開いた状態が図２に示されている。
【００１８】
図示されていないが、このケース４には、留め具がさらに設けられている。この留め具は、本体１２と上蓋１４とを連結しうる。これにより、このケース４の閉じた状態が維持される。
【００１９】
キャッチャー６は、第一磁石１８と、ジャケット２０とを備えている。第一磁石１８は、板状である。ジャケット２０は、第一磁石１８を覆い、これを包んでいる。換言すれば、このジャケット２０は第一磁石１８をその内部に収容している。このセット２では、前述の消しゴムカスはこのジャケット２０を介して第一磁石１８に吸着される。
【００２０】
このセット２では、ジャケット２０は少ない厚みを有しているのが好ましい。薄いジャケット２０は、消しゴムカスの吸着に寄与しうる。この観点から、このジャケット２０の厚みは０．１ｍｍ以下が好ましい。過小な厚みを有するジャケット２０には、皺が生じやすい。この皺は、後述する、消しゴムカスのジャケット２０からの脱離を阻害してしまう。このセット２では、皺の発生が防止されうるという観点から、このジャケット２０の厚みは０．０５ｍｍ以上が好ましい。
【００２１】
このセット２では、ジャケット２０は市販のポリ袋である。このジャケット２０は、薄いフィルムからなる。このジャケット２０は、消しゴムカスの吸着を阻害しない。このジャケット２０は、適度な厚みを有しているので、皺も生じにくい。このジャケット２０は、消しゴムカスの収集及び廃棄に寄与しうる。
【００２２】
このセット２では、このジャケットを構成するポリ袋の材質としては、ポリエチレン及びポリプロピレンが例示される。取り扱いが容易という観点から、このポリ袋の材質としてはポリエチレンが好ましい。
【００２３】
図示されていないが、このジャケット２０はその内部と外部とを連通する口を備えている。このセット２では、この口を通じて、第一磁石１８がジャケット２０の内部に投入される。投入後、その口の付近に設けられたファスナー２２が閉じられる。これにより、第一磁石１８がジャケット２０に封入される。このセット２では、このようにして、第一磁石１８がジャケット２０の内部に収容されたキャッチャー６が得られる。
【００２４】
図３に示されているのは、コレクター８である。この図３において、コレクター８は上下方向に延在している。このコレクター８は、主筒２４と、副筒２６と、第二磁石２８と、隔膜３０とを備えている。
【００２５】
主筒２４は、コレクター８の長さ方向に延在している。この長さ方向におけるこの主筒２４の一方の端には、ディスク状のプレート３２が設けられている。このプレート３２は、主筒２４の一端を閉塞している。この主筒２４の他方の端には、口３４が設けられている。この口３４は、主筒２４の内部と外部とを連通している。副筒２６は、主筒２４の径方向外側に位置している。この副筒２６は、主筒２４の外径よりも大きな内径を有している。
【００２６】
第二磁石２８は、主筒２４の内部に位置している。第二磁石２８は、棒状である。図示されているように、第二磁石２８はコレクター８の長さ方向に延在している。第二磁石２８は、このコレクター８の長さ方向において、主筒２４よりも短い。図示されているように、第二磁石２８は主筒２４よりも細い。第二磁石２８は、主筒２４に固定されていない。このセット２では、この第二磁石２８は、主筒２４の一端とその他端との間を主筒２４の内周面３６に沿って移動しうる。
【００２７】
隔膜３０は、主筒２４の口３４を塞いでいる。換言すれば、主筒２４の口３４は隔膜３０で覆われている。このセット２では、消しゴムカスはこの隔膜３０を介して第二磁石２８に吸着される。
【００２８】
このコレクター８では、隔膜３０は少ない厚みを有しているのが好ましい。薄い隔膜３０は、消しゴムカスの吸着に寄与しうる。この観点から、この隔膜３０の厚みは０．０７ｍｍ以下が好ましい。過小な厚みを有する隔膜３０は、破れやすい。破れは、消しゴムカスの収集及び廃棄を阻害してしまう。このコレクター８では、隔膜３０が適切な強度を有し、この隔膜３０の破れが防止されうるという観点から、この隔膜３０の厚みは０．００５ｍｍ以上が好ましい。
【００２９】
このコレクター８では、隔膜３０はフィルムからなる。このコレクター８では、この隔膜３０を構成するフィルムとしては、市販のラップが例示される。この隔膜３０は、薄い。この隔膜３０は、消しゴムカスの吸着を阻害しない。この隔膜３０は適度な強度を有しているので、破れにくい。この隔膜３０は、消しゴムカスの収集及び廃棄に寄与しうる。なお、ラップを隔膜３０として用いる場合には、強度の観点から、複数のラップを重ねて使用するのが好ましい。
【００３０】
このコレクター８では、隔膜３０を構成するフィルムの材質としては、ポリエチレン及びポリプロピレンが例示される。取り扱いが容易という観点から、このポリ袋の材質としてはポリエチレンが好ましい。
【００３１】
このセット２では、コレクター８は次のようにして形成される。第二磁石２８が、主筒２４の口３４を通じてその内部に投入される。主筒２４の口３４よりも大きなフィルム３８がこの主筒２４の口３４にあてがわれ、この口３４の部分がフィルム３８で包まれる。副筒２６が嵌め込まれ、このフィルム３８の縁の部分がこの副筒２６と主筒２４との間に挟み込まれる。これにより、このフィルム３８がこの主筒２４の口３４の部分に固定される。このようにして、主筒２４の口３４を塞ぐ隔膜３０が形成され、主筒２４の内部に第二磁石２８が収容されたコレクター８が得られる。
【００３２】
このセット２は、次のようにして使用される。キャッチャー６及びコレクター８が収容されたケース４が開けられ、コレクター８が取り出される。このケース４は、キャッチャー６を収容したまま閉じられる。
【００３３】
コレクター８は、その隔膜３０を下側にして利用者の手で把持される。このとき、第二磁石２８は隔膜３０に載置されている。コレクター８は、散乱した消しゴムカスの上方に誘導される。コレクター８は、消しゴムカスに近づけられる。これにより、消しゴムカスが第二磁石２８に吸引され、隔膜３０を介して第二磁石２８に吸着される。このようにして、散乱した消しゴムカスがコレクター８により集められる。
【００３４】
このコレクター８では、消しゴムカスは第二磁石２８に直接吸着しない。このため、この第二磁石２８は消しゴムカスにより汚染されない。このコレクター８では、第二磁石２８の清掃は不要である。
【００３５】
図４（ａ）に示されているように、消しゴムカス４０が吸着したコレクター８は、ケース４の上方に誘導される。誘導後、コレクター８がケース４の投入口１０の上で上下に動かされる。このとき、コレクター８は一旦持ち上げられ（図４（ｂ））、間髪入れず下向きに動かされる（図４（ｃ））。
【００３６】
前述したように、このコレクター８の第二磁石２８は、その長さ方向において、主筒２４よりも短い。このため、コレクター８を上下に動かすと、隔膜３０に載置していた第二磁石２８がこの隔膜３０から離間する。これにより、隔膜３０を介して第二磁石２８に吸着していた消しゴムカス４０がこの第二磁石２８から一気に脱離する。このコレクター８では、第二磁石２８に吸着した消しゴムカス４０の脱離は容易である。脱離した消しゴムカス４０は、投入口１０を通じてケース４の内部に投入される。
【００３７】
前述したように、このセット２のケース４にはキャッチャー６が収容されている。このキャッチャー６においては、第一磁石１８がジャケット２０に収容されている。このため、投入口１０を通じてケース４の内部に投入された消しゴムカス４０は、第一磁石１８に吸引され、ジャケット２０を介して第一磁石１８に吸着される。これにより、ケース４の内部に投入された消しゴムカス４０がキャッチャー６に捕捉される。このキャッチャー６は、ケース４の内部に投入された消しゴムカス４０の副次的な散乱を防止しうる。
【００３８】
消しゴムカス４０の投入が完了すると、キャッチャー６がケース４から取り出される。このキャッチャー６においては、図５（ａ）で示されているように、消しゴムカス４０がジャケット２０を介して第一磁石１８に吸着している。
【００３９】
キャッチャー６は、ゴミ箱（図示されず）に誘導される。このゴミ箱において、ジャケット２０の口４２から第一磁石１８が指４４で取り出される（図５（ｂ））。これにより、ジャケット２０を介して第一磁石１８に吸着していた消しゴムカス４０がこの第一磁石１８から脱離し、一気にゴミ箱に投入される。これにより、消しゴムカス４０がゴミ箱に廃棄される。この廃棄は、容易である。しかも、消しゴムカス４０がジャケット２０を介して第一磁石１８に吸着しているので、この第一磁石１８はこの消しゴムカス４０により汚染されない。このセット２では、第一磁石１８の清掃は不要である。
【００４０】
このセット２では、消しゴムカス４０が吸着したコレクター８が直接ゴミ箱に誘導されてもよい。この場合、このゴミ箱において、図４に示したように上下に動かされ、このコレクター８から消しゴムカス４０が脱離される。この場合においても、散乱した消しゴムカス４０が容易に廃棄されうる。
【００４１】
このセット２によれば、消しゴムカス４０の収集及び廃棄が容易になされうる。しかも、散乱した消しゴムカス４０が確実に収集及び廃棄される。このため、書類や机の汚染が防止される。書類や机の上にある消しゴムカス４０を手で払い、消しゴムカス４０が床に落とされることが抑制されるので、床の汚染も防止されうる。
【産業上の利用可能性】
【００４２】
以上説明されたコレクター及びこのコレクターを含む収集セットは、消しゴムを使用した時に生じる消しゴムカスの収集及び廃棄に適用されうる。
【符号の説明】
【００４３】
２・・・セット
４・・・ケース
６・・・キャッチャー
８・・・コレクター
１０・・・投入口
１２・・・本体
１４・・・上蓋
１８・・・第一磁石
２０・・・ジャケット
２４・・・主筒
２６・・・副筒
２８・・・第二磁石
３０・・・隔膜
４０・・・消しゴムカス
【図１】
0005663333.tif 000002
【図２】
0005663333.tif 000003
【図３】
0005663333.tif 000004
【図４】
0005663333.tif 000005
【図５】
0005663333.tif 000006